(57)【要約】【課題】引出開口を形成しやすい嵌挿用巻回体収容箱、詰替用巻回体及び巻回体入り収容箱を提供する。【解決手段】嵌挿用巻回体収容箱５０は、引出開口５１ｈが形成される開口形成面５１と、端面５５とを有する。開口形成面５１は、除去することにより引出開口５１ｈが形成される開口切取片５１ｅを含む。端面５５は、開口切取片５１ｅに連なって接続された摘み片５５ｔと、摘み片５５ｔ以外の端面５５の部分である端面本体５５ｂとを含み、端面本体５５ｂと摘み片５５ｔとが端面切取線５５ｃを介して接続されるように構成されている。詰替用巻回体６０は、嵌挿用巻回体収容箱５０と、これに収容された巻回体９１ｒとを備える。巻回体入り収容箱１００は、詰替用巻回体６０と、詰替用巻回体６０が嵌挿された箱本体１とを備える。【選択図】図１
2016159923.tif 000002
【特許請求の範囲】
【請求項１】
一面が開口面に形成された本体部と、前記本体部に連接されて前記開口面を塞ぐ開閉可能な蓋部と、を有する箱本体、に嵌挿される嵌挿用巻回体収容箱であって；
長尺物が巻かれた巻回体が収容された場合に前記巻回体の軸線が延びる方向と交差する方向に前記巻回体から前記長尺物が引き出される引出開口が形成される開口形成面と、前記開口形成面に隣接した端面であって前記巻回体が収容された場合に前記巻回体の軸線を延長した仮想延長軸線が貫通する端面とを有し；
前記開口形成面は、除去することにより前記引出開口が形成される開口切取片を含んで構成され；
前記端面は、前記開口切取片に連なって接続された摘むことができる摘み片と、前記摘み片以外の前記端面の部分である端面本体とを含み、前記端面本体と前記摘み片とが端面切取線を介して接続された；
嵌挿用巻回体収容箱。
【請求項２】
前記開口形成面は、前記引出開口が形成された後でも前記開口形成面に残存する残片であって前記開口切取片に対して開口切取線を介して接続された残片を含んで構成された；
請求項１に記載の嵌挿用巻回体収容箱。
【請求項３】
前記開口形成面及び前記端面に隣接した側面であって前記巻回体が収容された場合に前記巻回体の軸線が延びる方向に沿って設けられた側面を有し；
前記側面は、除去することにより前記引出開口に連なる側面開口が形成される側面切取片と、前記開口形成面が隣接する側とは反対側の前記側面に残存する側面板であって前記側面切取片に対して側面切取線を介して接続された側面板とを含んで構成され；
前記側面切取片は、前記端面の側に延びて前記端面と平行になるように折り返されて前記端面に配置された延在部を有する；
請求項１又は請求項２に記載の嵌挿用巻回体収容箱。
【請求項４】
請求項１乃至請求項３のいずれか１項に記載の嵌挿用巻回体収容箱と；
前記嵌挿用巻回体収容箱に収容された、長尺物が巻かれた巻回体とを備える；
詰替用巻回体。
【請求項５】
請求項４に記載の詰替用巻回体と；
前記詰替用巻回体が嵌挿された前記箱本体とを備える；
巻回体入り収容箱。
【発明の詳細な説明】
【技術分野】
【０００１】
本発明は嵌挿用巻回体収容箱、詰替用巻回体及び巻回体入り収容箱に関し、特に引出開口を形成しやすく巻回体を取り出しやすい嵌挿用巻回体収容箱、詰替用巻回体及び巻回体入り収容箱に関する。
【背景技術】
【０００２】
食品包装等に用いられるラップフィルムは、ロール状に巻かれた巻回体として、細長い直方体の収容箱に収容され、流通に置かれている。近年、環境保全意識の高まりを背景に、使用に伴って強度が低下する板紙で収容箱が形成されている場合でも、巻回体を詰め替えて使用できるようにしたものが提案されている。この種の収容箱として、直方体状の一面が開口された本体部と当該開口を塞ぐ開閉可能な蓋部とを有する箱本体と、箱本体に嵌挿される嵌挿用ラップロール収容箱とを備え、嵌挿用ラップロール収容箱は、ラップフィルムの引出開口に隣接した開口隣接板と、これに直交して連接する一対の端面板とを有し、流通する際は引出開口が閉塞板で覆われており、嵌挿用ラップロール収容箱は、閉塞板を剥がしたうえで、引出開口が本体部の開口面に現れる状態又は後板に対向する状態で箱本体に嵌挿されているものがある（例えば、特許文献１参照。）。
【先行技術文献】
【特許文献】
【０００３】
【特許文献１】特開２０１３−２１６３４９号公報（図１−３等）
【発明の概要】
【発明が解決しようとする課題】
【０００４】
しかしながら、特許文献１に記載の収容箱は、閉塞板が、引出開口を単に覆うように設けられているに過ぎないために閉塞板を剥がしにくかった。
【０００５】
本発明は上述の課題に鑑み、引出開口を形成しやすい嵌挿用巻回体収容箱、詰替用巻回体及び巻回体入り収容箱を提供することを目的とする。
【課題を解決するための手段】
【０００６】
上記目的を達成するために、本発明の第１の態様に係る嵌挿用巻回体収容箱は、例えば図１に示すように、一面が開口面１０ｈに形成された本体部１０と、本体部１０に連接されて開口面１０ｈを塞ぐ開閉可能な蓋部２０と、を有する箱本体１、に嵌挿される嵌挿用巻回体収容箱５０であって；長尺物９１ｆが巻かれた巻回体９１ｒが収容された場合に巻回体９１ｒの軸線９１ａが延びる方向と交差する方向に巻回体９１ｒから長尺物９１ｆが引き出される引出開口５１ｈが形成される開口形成面５１と、開口形成面５１に隣接した端面５５であって巻回体９１ｒが収容された場合に巻回体９１ｒの軸線９１ａを延長した仮想延長軸線が貫通する端面５５とを有し；開口形成面５１は、除去することにより引出開口５１ｈが形成される開口切取片５１ｅを含んで構成され；端面５５は、開口切取片５１ｅに連なって接続された摘むことができる摘み片５５ｔと、摘み片５５ｔ以外の端面５５の部分である端面本体５５ｂとを含み、端面本体５５ｂと摘み片５５ｔとが端面切取線５５ｃを介して接続されるように構成されている。
【０００７】
このように構成すると、開口切取片に連なって接続されて摘むことができる摘み片を端面に有するので、摘み片を起点として簡便に開口切取片を除去することができる。
【０００８】
また、本発明の第２の態様に係る嵌挿用巻回体収容箱は、例えば図２（Ａ）に示すように、上記本発明の第１の態様に係る嵌挿用巻回体収容箱５０において、開口形成面５１は、引出開口５１ｈが形成された後でも開口形成面５１に残存する残片５１ｒであって開口切取片５１ｅに対して開口切取線５１ｃを介して接続された残片５１ｒを含んで構成されている。
【０００９】
このように構成すると、嵌挿用巻回体収容箱に巻回体が収容され、開口切取片を除去して開口形成面を開口面側にした状態で嵌挿用巻回体収容箱を箱本体に嵌挿したときに、残片によって嵌挿用巻回体収容箱からの巻回体の飛び出しを抑制することができる。
【００１０】
また、本発明の第３の態様に係る嵌挿用巻回体収容箱は、例えば図１及び図２に示すように、上記本発明の第１の態様又は第２の態様に係る嵌挿用巻回体収容箱において、開口形成面５１及び端面５５に隣接した側面５４であって巻回体９１ｒが収容された場合に巻回体９１ｒの軸線９１ａが延びる方向に沿って設けられた側面５４を有し；側面５４は、除去することにより引出開口５１ｈに連なる側面開口５４ｈが形成される側面切取片５４ｅと、開口形成面５１が隣接する側とは反対側の側面５４に残存する側面板５４ｒであって側面切取片５４ｅに対して側面切取線５４ｃを介して接続された側面板５４ｒとを含んで構成され；側面切取片５４ｅは、端面５５の側に延びて端面５５と平行になるように折り返されて端面５５に配置された延在部５４ｂを有する。
【００１１】
このように構成すると、側面開口を形成することで、嵌挿用巻回体収容箱に巻回体が収容された場合に嵌挿用巻回体収容箱からの巻回体の取り出しを簡便に行うことができ、側面開口は延在部を摘んで側面切取片を除去することで簡便に形成することができる。
【００１２】
また、本発明の第４の態様に係る詰替用巻回体は、例えば図１（Ａ）に示すように、上記本発明の第１の態様乃至第３の態様のいずれか１つの態様に係る嵌挿用巻回体収容箱５０と、嵌挿用巻回体収容箱５０に収容された、長尺物９１ｆが巻かれた巻回体９１ｒとを備える。
【００１３】
このように構成すると、摘み片を起点として簡便に開口切取片を除去することができる詰替用巻回体となる。
【００１４】
また、本発明の第５の態様に係る巻回体入り収容箱は、例えば図１に示すように、上記本発明の第４の態様に係る詰替用巻回体６０と、詰替用巻回体６０が嵌挿された箱本体１とを備える。
【００１５】
このように構成すると、摘み片を起点として簡便に開口切取片を除去することができる巻回体入り収容箱となる。
【発明の効果】
【００１６】
本発明によれば、開口切取片に連なって接続されて摘むことができる摘み片を端面に有するので、摘み片を起点として簡便に開口切取片を除去することができる。
【図面の簡単な説明】
【００１７】
【図１】（Ａ）は本発明の実施の形態に係る詰替ラップ入りカートンの分解斜視図、（Ｂ）はカートンの部分斜視図である。
【図２】（Ａ）は本発明の実施の形態に係るカートンの開口切取片を除去中の状態の斜視図、（Ｂ）は本発明の実施の形態に係るカートンの側面切取片を除去中の状態の斜視図である。
【図３】本発明の実施の形態に係るカートンの展開図である。
【図４】本発明の実施の形態の変形例に係るカートンの側面断面図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る巻回体入り収容箱としての詰替ラップ入りカートン１００を説明する。図１（Ａ）は、詰替ラップ入りカートン１００の分解斜視図である。詰替ラップ入りカートン１００は、詰替用巻回体としての詰替ラップ６０が箱本体１に収容されたものである。詰替ラップ６０は、巻回体としてのラップロール９１ｒが、嵌挿用巻回体収容箱としてのカートン５０に収容されたものである。したがって、詰替ラップ入りカートン１００は、箱本体１と、詰替ラップ６０とを備えている。詰替ラップ６０は、カートン５０と、ラップロール９１ｒとを備えている。ラップロール９１ｒは、薄膜状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。図１（Ａ）では、説明の便宜上、ラップフィルム９１ｆを引き出した状態の一部を示して残りを省略している。ラップフィルム９１ｆは、本実施の形態では、ポリ塩化ビニリデンを原料として厚さが５〜２０μｍに形成されている。
【００２０】
箱本体１は、詰替ラップ６０のラップフィルム９１ｆを使い切って、詰替ラップ６０を交換しても、繰り返し使用されることが予定されている。箱本体１は、本体部１０と、蓋部２０とを有している。本体部１０は、詰替ラップ６０を嵌合できる大きさの直方体に対して、細長い面の１つが開口面１０ｈとなっている箱である。本体部１０は、詰替ラップ６０を嵌める際に嵌めやすく、詰替ラップ６０が嵌められた状態でラップフィルム９１ｆを引き出した際に詰替ラップ６０が外れない大きさに形成されている。本体部１０は、カートン５０を介さずに直接ラップロール９１ｒを収容することもでき、その際は、カートン５０を介さずに収容された未使用のラップロール９１ｒを軸線９１ａ回りに回転させるのを妨げない隙間が形成される。本体部１０は、本実施の形態では幅４４ｍｍ、高さ４４ｍｍ、長さ３１０ｍｍの大きさに形成されている。
【００２１】
本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。脇板１５の上端の中央部分には、３ｍｍ程度上方に延びた小片が外側に折り返されて形成された突起１５ｐが設けられている。突起１５ｐは、２つあるそれぞれの脇板１５の上端を形成する辺である脇板端辺１５ｓに設けられている。また、本体部１０は、前板端辺１９で前板１２と連続する内接板（不図示）を有している。前板端辺１９は、前板１２と開口面１０ｈとが交わる部分の前板１２の端辺であり、本実施の形態では前板１２と内接板との境界を兼ねている。内接板は、前板１２と略同じ大きさであるが底板１３とは接しておらず、前板１２よりも本体部１０の内側に設けられている。内接板は、底板１３側の端辺が、長手方向に沿って前板１２に接着されている。内接板が設けられていることにより、本体部１０の強度の向上を図っている。
【００２２】
蓋部２０は、本体部１０の開口面１０ｈを塞ぐ部材である。蓋部２０は、蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。蓋板２１が開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００２３】
掩蓋片２２は、折曲辺２１ｆを介して蓋板２１と直交し、蓋部２０を閉じた状態において底板１３に向かって延びるように設けられている。掩蓋片２２は、詰替ラップ６０が本体部１０に収容された場合におけるラップロール９１ｒの軸線９１ａが延びる方向（以下「軸線方向Ｄ」という。）の両端における高さ（長方形の前板１２の短辺方向の長さ）が、前板１２の短辺方向の長さの約１／２で、軸線方向Ｄの中央部の高さが、前板１２の短辺方向の長さの約３／４となっている。折曲辺２１ｆに対向する先端辺２２ｔは、軸線方向Ｄにおける中央からそれぞれの端部に移動するに連れて、軸線方向Ｄに直交する方向における折曲辺２１ｆと先端辺２２ｔとの距離が短くなるように形成されている。このような構成により、折曲辺２１ｆに対向する先端辺２２ｔがＶ字状に形成されることとなる。掩蓋片２２は、蓋部２０が閉じられた状態において、前板１２に沿って前板１２の外側に重なり、前板１２の上部を五角形状に覆うこととなる。掩蓋片２２は、軸線方向Ｄの長さが前板１２よりもわずかに長く構成されており、本体部１０に収容されるラップ９１の幅よりも長い。これにより、掩蓋片２２は、本体部１０の中から引き出されたラップフィルム９１ｆを、その幅全体にわたって、前板１２との間に挟むことができるように構成されている。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２４】
側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。この基本形状を基に、側蓋片２５は、蓋部２０を閉じた状態における底板１３側の辺と後板１４側の辺とが交わる角部が円弧状になっている。側蓋片２５は、掩蓋片２２に連接された接合片２２ｊに接着剤で固定されている。側蓋片２５の内側には、接合片２２ｊと蓋板２１との間に、凹部２５ｄが形成されている。凹部２５ｄには、蓋部２０を閉じたときに、脇板端辺１５ｓに設けられた突起１５ｐが嵌ることとなる。上述のように構成された蓋部２０は、閉じたときに、本体部１０の開口１０ｈに覆い被さり、掩蓋片２２が前板１２の上部を覆うようになっている。
【００２５】
本体部１０及び蓋部２０は、本実施の形態では、約０．４５〜０．７ｍｍ厚のコートボール紙が加工されて形成されている。このため、箱本体１は、弾性を有している。なお、本実施の形態では、説明の便宜上、本体部１０と蓋部２０とを機能の観点から区別しているが、本体部１０及び蓋部２０は、１枚の原紙を切り出して組み立てられて一体に形成されている。本体部１０及び蓋部２０の表面は、消費者の購買意欲を惹起するようなデザインが印刷されたうえで、全体に表面処理が施されている。また、箱本体１は、前板１２の上部に、前板１２の面が切り込まれることにより、内接板（不図示）から離れて本体部１０の外側に浮くフラップ１２ｆが形成されている。つまり、前板１２は、フラップ１２ｆを含んで構成されている。フラップ１２ｆは、蓋部２０を閉じたときに掩蓋片２２に覆われて外面に表れない大きさで、左右対称に合計２つ形成されている。各フラップ１２ｆは、前板端辺１９で内接板（不図示）と連接していることにより、前板端辺１９を回転軸線として回動することができるように構成されている。
【００２６】
各フラップ１２ｆの表面には、係止手段としてのストッパー１２ｓが、ＵＶニスが塗布されることで形成されている。ストッパー１２ｓは、本実施の形態では、各フラップ１２ｆの軸線方向Ｄの長さ全体にわたって断続的に形成されている。ストッパー１２ｓが形成されていることにより、ラップフィルム９１ｆの切断時に、適切な切断を妨げるほどにラップフィルム９１ｆが移動してしまうことを回避できる程度にラップフィルム９１ｆを係止させることができる。本実施の形態では、ストッパー１２ｓが、各フラップ１２ｆよりも外側の前板１２の面、及び両フラップ１２ｆの間の前板１２の面にも断続的に形成されている。
【００２７】
カートン５０は、箱本体１の本体部１０内に嵌め込むことができる大きさで、基本的な形状が直方体に形成されている。カートン５０は、直方体の側面に相当する４つの長方形面である開口形成面５１、垂面５２、対面５３、側面５４と、直方体の端面に相当する一対の端面５５とを有している。開口形成面５１及び対面５３は、相互に対向している。垂面５２及び側面５４は、相互に対向していると共に、それぞれ開口形成面５１及び対面５３に直交している。一対の端面５５は、開口形成面５１、垂面５２、対面５３、側面５４に直交しており、本実施の形態では正方形に形成されている。一対の端面５５は、カートン５０にラップロール９１ｒが収容されている場合に（すなわち詰替ラップ６０において）、ラップロール９１ｒの軸線９１ａを延長した仮想延長軸線が貫通する位置に設けられている。
【００２８】
開口形成面５１は、開口切取片５１ｅと、残片５１ｒとを含んでおり、開口切取片５１ｅを除去することで、引出開口５１ｈが形成されるように構成されている。引出開口５１ｈは、カートン５０の内部にラップロール９１ｒが収容されている場合に（すなわち詰替ラップ６０において）、ラップロール９１ｒからラップフィルム９１ｆを引き出すための開口である。開口切取片５１ｅ及び残片５１ｒは、開口形成面５１を短辺方向Ｐで二分割したうちの、一方と他方である。なお、短辺方向Ｐは、開口形成面５１上で軸線方向Ｄに直交する方向である。開口切取片５１ｅと残片５１ｒとは、開口切取線５１ｃを介して接続されている。開口切取線５１ｃは、道具を使わずに手だけで開口切取片５１ｅを残片５１ｒから分離するのを助ける構成であり、本実施の形態ではミシン目で形成されている。引出開口５１ｈは、軸線方向Ｄにおいて、ラップフィルム９１ｆの幅よりも大きな幅に形成されており、本実施の形態では、開口形成面５１の軸線方向Ｄの幅いっぱいに形成されている。
【００２９】
図１（Ｂ）には、図１（Ａ）に示す端面５５Ａとは反対側の端面５５Ｂを示している。なお、以下の説明において、端面５５Ａと端面５５Ｂとを区別せずに、共通の性質を説明するときは、端面５５と総称する。端面５５Ｂは、開口切取片５１ｅに連接された摘み片５５ｔと、端面本体５５ｂとを含んでいる。端面本体５５ｂは、摘み片５５ｔ以外の端面５５Ｂの部分である。端面本体５５ｂは、残片５１ｒ、垂面５２、対面５３に対しては、その境界の全体で連接されている。端面５５Ｂは、側面５４に対しては、摘み片５５ｔ及び端面本体５５ｂが共に隣接している。摘み片５５ｔと端面本体５５ｂとは、端面切取線５５ｃを介して接続されている。端面切取線５５ｃは、開口切取線５１ｃと連続しており、本実施の形態ではミシン目で形成されている。摘み片５５ｔは、開口切取片５１ｅに連接する辺と、側面５４に隣接する辺とが直交する直角三角形状で、斜辺に相当する辺が円弧状に湾曲した外観形状を呈している。摘み片５５ｔの、直角三角形状の斜辺に相当する辺は、カートン５０にラップロール９１ｒが収容されている場合に、未使用のラップロール９１ｒの外径に沿って湾曲している。また、摘み片５５ｔは、側面５４に隣接する辺と、直角三角形状の斜辺に相当する湾曲した辺とでなす角部が、丸みを帯びた（円弧状）形状になっている。摘み片５５ｔは、開口切取片５１ｅとは連接しているが、側面５４とは分離しているため、丸みを帯びた部分に指をかけて起こしやすくなっている。端面５５Ｂは、摘み片５５ｔを除去した後に、端面切欠部５５ｄが形成されることとなる。端面切欠部５５ｄは、摘み片５５ｔを除去した後の端面５５Ｂにおける、端面本体５５ｂ以外の部分である。
【００３０】
図２の背面斜視図を、図１と併せて参照して、カートン５０についてさらに詳しく説明する。図２（Ａ）は、開口切取片５１ｅを除去中の状態の図、図２（Ｂ）は、側面切取片５４ｅを除去中の状態の図である。側面５４は、側面切取片５４ｅと、側面板５４ｒとを含んでおり、側面切取片５４ｅを除去することで、側面開口５４ｈが形成されるように構成されている。側面開口５４ｈは、引出開口５１ｈと協働して、カートン５０へのラップロール９１ｒの出し入れを助ける開口である。側面切取片５４ｅ及び側面板５４ｒは、側面５４を短辺方向で二分割したうちの、一方と他方である。側面切取片５４ｅは、開口切取片５１ｅに連接している。側面切取片５４ｅと開口切取片５１ｅとの境界は、境界切取線５８ｃを介して接続されている。境界切取線５８ｃは、道具を使わずに手だけ開口切取片５１ｅと側面切取片５４ｅと分離するのを助ける構成であり、本実施の形態ではミシン目で形成されている。側面板５４ｒは、対面５３に連接している。側面切取片５４ｅと側面板５４ｒとは、側面切取線５４ｃを介して接続されている。側面切取線５４ｃは、道具を使わずに手だけで側面切取片５４ｅを側面板５４ｒから分離するのを助ける構成であり、本実施の形態ではミシン目で形成されている。側面切取片５４ｅの長手方向の両端には、延在部５４ｂが連接されている。延在部５４ｂは、側面切取片５４ｅに対して直角に曲がっており、端面５５に沿うように配設されている。延在部５４ｂは、本実施の形態では、開口切取片５１ｅが除去されていない状態で、摘み片５５ｔ（あるいは端面５５Ａ）に接するようにカートン５０の内側に配設されている。このように延在部５４ｂが配設されていることで、連接されていない摘み片５５ｔと側面切取片５４ｅとの間の隙間から、カートン５０の内部に異物が侵入することを防ぐことができる。延在部５４ｂは、端面切欠部５５ｄと概ね同じ形状になっている。
【００３１】
図２から分かるように、開口形成面５１は、開口切取片５１ｅ及び残片５１ｒに加えて、下地片５６を含んでいる。下地片５６は、主として、引出開口５１ｈを通って引き出されたラップフィルム９１ｆを開口切取線５１ｃから離すための部材である。下地片５６は、残片５１ｒ及び開口切取片５１ｅの内側に設けられている。下地片５６は、典型的には、残片５１ｒに貼り付けられており、開口切取片５１ｅには貼り付けられていない。下地片５６は、引出開口５１ｈ側（すなわち開口切取片５１ｅ側）の縁である先端縁５６ｆが、開口切取線５１ｃよりも引出開口５１ｈ側にわずかに突き出ている。先端縁５６ｆは、少なくとも、開口切取線５１ｃで開口切取片５１ｅを切り取った後のミシン目の跡（ミシン目の突起）を覆う程度、開口切取線５１ｃから突き出ている。先端縁５６ｆは、本実施の形態では、実質的に軸線方向Ｄ全体にわたって開口切取線５１ｃに沿って延びた輪郭に形成されている。ここで、実質的に軸線方向Ｄ全体にわたって先端縁５６ｆが開口切取線５１ｃに沿って延びるとは、引き出されたラップフィルム９１ｆの軸線方向Ｄにおける幅以上に先端縁５６ｆが延びていることを意味している。先端縁５６ｆは、ラップフィルム９１ｆ（図１（Ａ）参照）を摺動させてもラップフィルム９１ｆが損傷しない程度の滑らかさで延びている。下地片５６は、本実施の形態では、残片５１ｒを包含する大きさに形成されているが、少なくとも残片５１ｒの面積の２／３以上の面積を有することとすると、開口切取片５１ｅを除去した後の残片５１ｒを効果的に補強することができるため好ましい。
【００３２】
図３にカートン５０の展開図を示す。カートン５０は、本実施の形態では、約０．３０〜０．７ｍｍ厚のコートボール紙が、図３に示す所定の型に打ち抜かれたものが折り曲げ加工されて形成されている。つまり、本実施の形態のカートン５０は、一枚の単体の板紙が折り曲げ加工されて形成されている。カートン５０の表面は、詰め替え用であることを消費者が認識できるようなデザインが印刷されている。図３に示すように、開口形成面５１には、軸線方向Ｄの一端に端面５５Ａの半分が連接され、他端に端面５５Ｂの半分が連接されている。端面５５Ａの残りの半分は、対面５３の軸線方向Ｄの一端に連接されており、端面５５Ｂの残りの半分は対面５３の軸線方向Ｄの他端に連接されている。垂面５２には、軸線方向Ｄの両端に接合片５２ｊが連接されている。側面５４には、軸線方向Ｄの両端に、側面切取線５４ｃで接続された接合片５４ｊ及び延在部５４ｂが連接されている。下地片５６、垂面５２、対面５３、側面５４、開口形成面５１は、この順番で配列されて、隣接する部材同士が軸線方向Ｄの全体にわたって連接されている。図３に示すように、本実施の形態では、開口切取線５１ｃの軸線方向Ｄの中央部分が、両端部よりも残片５１ｒ側に窪んでいる。これに伴って、下地片５６の先端縁５６ｆも、軸線方向Ｄの中央部分が、両端部よりも垂面５２側に窪んでいる。開口切取線５１ｃは、軸線方向Ｄにおいて概ね５等分した中央及び両端の部分が軸線方向Ｄに平行に延びており、中央と端部との間の部分が軸線方向Ｄに対して斜めに延びている。残片５１ｒの軸線方向Ｄ両端部分の幅（軸線方向Ｄに直交する方向の距離）は、中央部分の幅の約１．６倍となっている。
【００３３】
カートン５０を組み立てる際は、まず、下地片５６、垂面５２、対面５３、側面５４、開口形成面５１が、軸線方向Ｄに延びる折曲線で折り曲げられ、下地片５６の上に開口形成面５１の残片５１ｒが接着剤を介して重ねられることで、断面四角形の筒状に形成される。次に、両側の接合片５２ｊ及び接合片５４ｊが、軸線方向Ｄに直交する方向に延びる折曲線で折り曲げられ、各接合片５２ｊ、５４ｊが同一平面上に配置される。このとき、各接合片５２ｊ、５４ｊは、互いに重ならず、向かい合う辺同士が近接した状態になる。次に、軸線方向Ｄの一端では、対面５３に連接した端面５５Ａの半分と、開口形成面５１に連接した端面５５Ａの半分とが、それぞれ軸線方向Ｄに直交する方向に延びる折曲線で折り曲げられ、各接合片５２ｊ、５４ｊの上に接着剤を介して重ねられる。このとき、延在部５４ｂは接着されないようにする。軸線方向Ｄの他端では、対面５３に連接した端面５５Ｂの半分と、開口形成面５１に連接した端面５５Ｂの半分とが、それぞれ軸線方向Ｄに直交する方向に延びる折曲線で折り曲げられ、各接合片５２ｊ、５４ｊの上に接着剤を介して重ねられる。このとき、延在部５４ｂ及び摘み片５５ｔは接着されないようにする。このようにして、カートン５０が組み立てられる。なお、実際には、カートン５０が単独で組み立てられるのではなく、ラップロール９１ｒが収容された詰替ラップ６０の構成部材として、カートン５０が組み立てられる。ラップロール９１ｒは、典型的には、下地片５６が残片５１ｒに接着された後、開口している端面５５部分から挿入され、その後、端面５５が塞がれる。
【００３４】
引き続き図１及び図２を参照して、詰替ラップ入りカートン１００の使用態様を説明する。詰替ラップ６０及びカートン５０の使用態様は、詰替ラップ入りカートン１００の一環として説明する。消費者は、箱本体１に収容されていたラップ９１を使い切ったら、箱本体１を捨てずに保存しておく。このとき、箱本体１の中にカートン５０が残っている場合は、カートン５０を取り除いておく。並行して、消費者は、別途店舗で購入した詰替ラップ６０を用意する。消費者は、詰替ラップ６０を用意したら、以下のようにして、中に収容されているラップロール９１ｒからラップフィルム９１ｆを引き出せる状態にする。ラップフィルム９１ｆを引き出せる状態にするには、詰替ラップ６０を箱本体１に嵌挿していない状態で、まず、カートン５０の摘み片５５ｔに指を掛けて摘み片５５ｔを起こす。このとき、端面切取線５５ｃがミシン目で形成されているので、摘み片５５ｔを端面本体５５ｂから容易に分離することができ、簡便に摘み片５５ｔを起こすことができる。摘み片５５ｔを起こしたら、一方の手の指で摘み片５５ｔを摘み、他方の手で対面５３を覆うようにして垂面５２及び側面５４を押さえ、摘み片５５ｔを摘んだ手を反対側の端面５５Ａまで移動させる。すると、摘み片５５ｔに連接した開口切取片５１ｅが、共にミシン目で形成された開口切取線５１ｃ及び境界切取線５８ｃで切断されて開口形成面５１から除去される。これにより、開口形成面５１に引出開口５１ｈが出現する（図２（Ａ）参照）。カートン５０は、摘み片５５ｔが設けられているので、摘み片５５ｔを起点として簡便に開口切取片５１ｅを除去することができる。
【００３５】
開口切取片５１ｅを除去すると、摘み片５５ｔが存在していた位置には、延在部５４ｂが現れるようになる（図２（Ａ）参照）。換言すれば、摘み片５５ｔが除去されることによって端面５５Ｂに形成された端面切欠部５５ｄに、延在部５４ｂが存在している。そこで、開口切取片５１ｅを除去したら、その延在部５４ｂを一方の手の指で摘み、他方の手で垂面５２及び側面５４を押さえ、延在部５４ｂを摘んだ手を反対側の端面５５Ａまで移動させる。すると、側面切取片５４ｅが、ミシン目で形成された側面切取線５４ｃで切断されて側面５４から除去される。これにより、側面５４に側面開口５４ｈが出現する（図２（Ｂ）参照）。側面開口５４ｈは、引出開口５１ｈと連続して形成されているので、カートン５０には比較的大きな開口が形成されることになる。このようにして形成された開口から、カートン５０に収容されているラップロール９１ｒが見える。
【００３６】
カートン５０に開口が形成されたら、ラップロール９１ｒからラップフィルム９１ｆの先端を引き出し、引き出したラップフィルム９１ｆの先端を残片５１ｒの上に載置する。ラップロール９１ｒからラップフィルム９１ｆの先端を引き出す際、ラップフィルム９１ｆの先端を引き出しにくい場合は、一旦ラップロール９１ｒをカートン５０から取り出し、ラップフィルム９１ｆの先端を引き出した後に、ラップロール９１ｒをカートン５０内に戻すこととしてもよい。ラップロール９１ｒをカートン５０から一旦取り出す際、カートン５０には端面切欠部５５ｄが形成されているので、カートン５０からのラップロール９１ｒの取り出しが助けられ、簡単にラップロール９１ｒをカートン５０から取り出すことができる。
【００３７】
ラップフィルム９１ｆの先端をラップロール９１ｒから引き出して残片５１ｒを覆うように乗せたら、この状態で、詰替ラップ６０を箱本体１の本体部１０に嵌め込む（嵌挿する）。詰替ラップ６０を本体部１０に嵌め込む際は、カートン５０の対面５３が本体部１０の底板１３に対向するように、また、垂面５２が前板１２に、側面５４が後板１４に、それぞれ対向するように嵌め込む。このように嵌め込むことで、カートン５０の引出開口５１ｈ及び残片５１ｒが、箱本体１の開口面１０ｈに現れた詰替ラップ入りカートン１００となる。このとき、側面開口５４ｈは後板１４側に位置することとなる。
【００３８】
上述のように組み立てられた詰替ラップ入りカートン１００において、ラップ９１を使用する際は、箱本体１の蓋部２０を開け、ラップフィルム９１ｆを摘んで残片５１ｒの表面に沿わせて短辺方向Ｐに引き出す。このとき、開口切取線５１ｃにおける切断跡の小さな突起によって、引き出されたラップフィルム９１ｆが損傷することが懸念されるが、本実施の形態に係る詰替ラップ入りカートン１００では、下地片５６の先端縁５６ｆが開口切取線５１ｃよりも引出開口５１ｈ側に突き出ているため、ラップフィルム９１ｆは開口切取線５１ｃで摺動せずに先端縁５６ｆで摺動することとなり、ラップフィルム９１ｆの損傷を回避することができ、また、ラップフィルム９１ｆの引出抵抗を軽減することができる。また、先端縁５６ｆの軸線方向Ｄ中央部分が両端部分よりも残片５１ｒ側に窪んでいるので、ラップフィルム９１ｆの幅の中央部分を摘んで引き出したときの、引き出されるラップフィルム９１ｆの先端縁５６ｆに対する抵抗が小さくなり、ラップフィルム９１ｆを円滑に引き出すことができる。さらに、先端縁５６ｆの軸線方向Ｄ中央部分が両端部分よりも残片５１ｒ側に窪んでいるので、詰替ラップ６０を箱本体１に嵌挿してからラップフィルム９１ｆの端（先端）を探して引き出すことも容易である。
【００３９】
また、ラップフィルム９１ｆを引き出す際、ラップ９１は比較的自己密着性が高いため、ラップロール９１ｒからラップフィルム９１ｆが円滑に剥離せず、ラップフィルム９１ｆに引っ張られてラップロール９１ｒがカートン５０から飛び出す方向に移動することがある。このような場合でも、詰替ラップ入りカートン１００では、残片５１ｒがラップロール９１ｒを抑えるため、ラップロール９１ｒがカートン５０から飛び出ることを防ぐことができる。つまり、残片５１ｒは、ラップフィルム９１ｆが引き出される際にカートン５０からのラップロール９１ｒの飛び出しを阻止する抑え板の役割を果たしている。このとき、残片５１ｒの内側には下地片５６が貼付されているので、残片５１ｒが補強されていることとなり、残片５１ｒのたわみを抑制することができて、ラップロール９１ｒのカートン５０からの飛び出しを効果的に抑制することできる。さらに、カートン５０は、箱本体１の本体部１０に嵌め込まれているので、仮にラップフィルム９１ｆが開口面１０ｈに垂直に引き上げられた場合は本体部１０から外れるおそれがあるものの、通常ラップフィルム９１ｆを引き出す際に働く力によっては前板１２に押し付けられることとなって本体部１０から外れることはない。ひいては、ラップフィルム９１ｆを引き出しても、ラップロール９１ｒは箱本体１の中に残り、ラップ９１を安定して使用することができる。
【００４０】
ラップフィルム９１ｆを必要な長さ分引き出したら、切断刃２３で切断する。このとき、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の中央を引き出されたラップフィルム９１ｆに食い込ませるように詰替ラップ入りカートン１００を軸線９１ａまわりにひねると、ラッピングする食器等にラップフィルム９１ｆを付けた状態でも切断しやすく、好適である。このとき、箱本体１は、フラップ１２ｆが前板１２に形成されているので、引き出されたラップフィルム９１ｆをフラップ１２ｆと掩蓋片２２とで挟むことができ、ラップフィルム９１ｆの切断時の滑りを抑制することができる。さらに、フラップ１２ｆに形成されたストッパー１２ｓが、ラップフィルム９１ｆの切断時の滑りをより抑制することに寄与することとなる。
【００４１】
また、詰替ラップ入りカートン１００は、箱本体１にカートン５０が嵌挿された二重構造になっており、残片５１ｒ、垂面５２、端面５５により強固な立体構造を有することで、ラップフィルム９１ｆを切断する際に掩蓋片２２の上から前板１２が押されても箱本体１にかかる負荷がカートン５０にも分散されることとなり、箱本体１の損傷が抑制されて、詰替ラップ６０を交換しても箱本体１は繰り返し使用することが可能となる。箱本体１とカートン５０とは、協働して相互の強度低下の抑制に寄与している。また、詰替ラップ入りカートン１００は、前板１２にストッパー１２ｓが形成されているので、切断された後にフラップ１２ｆと掩蓋片２２との間に挟まれているラップフィルム９１ｆの先端をストッパー１２ｓに係止させることができ、ラップフィルム９１ｆの先端がラップロール９１ｒに付着してしまうことによる、いわゆる巻き戻りの状態になることを防止することができる。また、蓋部２０を開けたままラップフィルム９１ｆを切断した場合等、ラップフィルム９１ｆの先端がストッパー１２ｓに付着できない程短くなった場合でも、箱本体１の開口面１０ｈに残片５１ｒが現れているので、ラップフィルム９１ｆの先端が残片５１ｒに載置されることとなり、ラップフィルム９１ｆの先端が巻き戻りの状態になることを防ぐことができる。さらに、前板１２にはフラップ１２ｆが形成されているので、ラップ９１を使用する際にラップフィルム９１ｆが前板１２から浮いて摘みやすい。
【００４２】
以上で説明したように、本実施の形態に係るカートン５０によれば、端面５５Ｂが摘み片５５ｔを含んでいるので、摘み片５５ｔを起点として開口切取片５１ｅを容易に除去することができる。また、側面切取片５４ｅを除去することで側面開口５４ｈが形成されると共に、摘み片５５ｔを除去することで端面切欠部５５ｄが形成されるため、カートン５０からのラップロール９１ｒの取り出しを行いやすい。また、下地片５６の先端縁５６ｆが開口切取線５１ｃよりも引出開口５１ｈ側に突き出ているため、引き出したラップフィルム９１ｆの損傷を回避することができる。また、先端縁５６ｆの軸線方向Ｄ中央部分が両端部分よりも残片５１ｒ側に窪んでいるので、ラップフィルム９１ｆを円滑に引き出すことができる。また、本実施の形態に係る詰替ラップ入りカートン１００によれば、箱本体１の開口面１０ｈに残片５１ｒが現れているので、ラップフィルム９１ｆを引き出したときのカートン５０からのラップロール９１ｒの飛び出しを抑制することができる。
【００４３】
以上の説明では、開口切取線５１ｃ、側面切取線５４ｃ、端面切取線５５ｃ、境界切取線５８ｃがミシン目で形成されていることとしたが、半切り線（部材の厚さ方向に途中まで切り込まれた線）等の、ミシン目以外の切断を助ける構成であってもよく、罫線のような切断の目安となる線で形成されていてもよい。しかしながら、道具を用いずに簡便に切断可能にする観点から、ミシン目で形成されていることが好ましい。
【００４４】
以上の説明では、開口切取片５１ｅが除去された後の開口形成面５１には残片５１ｒが残存することとしたが、開口形成面５１に残片５１ｒを含まずに開口形成面５１全体に引出開口５１ｈが形成されることとしてもよい。
【００４５】
以上の説明では、側面５４に側面開口５４ｈが形成されることとしたが、側面開口５４ｈが形成されないこととしてもよい。しかしながら、開口形成面５１に残片５１ｒが設けられて引出開口５１ｈが比較的小さく形成される場合は、カートン５０からラップロール９１ｒを取り出しやすくするため、側面開口５４ｈが形成されることとするとよい。また、側面切取片５４ｅの軸線方向Ｄ両端部に延在部５４ｂが設けられることとしたが、延在部５４ｂを設けずに、摘み片５５ｔを除去したら端面切欠部５５ｄを介してカートン５０の内部に接近できるようにしてもよい。しかしながら、摘み片５５ｔが起こされる前に摘み片５５ｔと側面５４との隙間からカートン５０の内部に異物が侵入するのを防ぐ観点から、延在部５４ｂを設けるとよい。
【００４６】
以上の説明では、カートン５０が、一枚の単体の板紙が折り曲げ加工されて形成されている場合で説明したが、複数枚の部材（典型的には板紙）を継ぎ合わせて形成されていてもよい。例えば、下地片５６以外の部分は一枚の板紙が折り曲げ加工されて形成され、別体に形成された下地片５６を残片５１ｒの裏側に貼り付けて構成されていてもよい。
【００４７】
以上の説明では、下地片５６の先端縁５６ｆが、実質的に軸線方向Ｄ全体にわたって開口切取線５１ｃに沿って延びていることとしたが、開口切取線５１ｃよりも引出開口５１ｈ側に突き出た先端縁５６ｆが、軸線方向Ｄに断続的に形成されていてもよく、開口切取線５１ｃの軸線方向Ｄ中央部分が両端部分よりも残片５１ｒ側に窪んでいて当該窪んだ部分が引き出されたラップフィルム９１ｆに接触しない場合は、軸線方向Ｄ両端部分に形成されて中央部分には形成されないこととしてもよい。つまり、開口切取線５１ｃよりも引出開口５１ｈ側に突き出た先端縁５６ｆは、引き出されたラップフィルム９１ｆが開口切取線５１ｃに接触しないように、引き出されたラップフィルム９１ｆを開口切取線５１ｃから離すことができるように形成されていればよい。しかしながら、引き出されたラップフィルム９１ｆを確実に開口切取線５１ｃから離すために、開口切取線５１ｃよりも引出開口５１ｈ側に突き出た先端縁５６ｆは、実質的に軸線方向Ｄ全体にわたって開口切取線５１ｃに沿って延びるように形成されていることが好ましい。
【００４８】
以上の説明では、下地片５６が板紙一枚で構成されているとしたが、以下のように構成されていてもよい。
図４は、変形例に係るカートン５０Ａの側面断面図である。カートン５０Ａでは、下地片５６Ａが、先端縁５６Ａｆで内側に折り返されることで、板紙二枚で構成されている。カートン５０Ａの、下地片５６Ａ以外の構成は、カートン５０（図１及び図２参照）と同様である。したがって、先端縁５６Ａｆの位置は、カートン５０における先端縁５６ｆ（図１及び図２参照）と同様である。図４に示すカートン５０Ａは、下地片５６Ａが板紙二枚で構成されているので、残片５１ｒまわりの強度をより向上させることができる。また、図４に示すカートン５０Ａは、先端縁５６Ａｆが、板紙が折り返された部分で形成されているので、軸線方向Ｄだけでなく、上下方向（ラップフィルム９１ｆ（図１（Ａ）参照）が引き出される方向）においてもより円滑に形成され、ラップフィルム９１ｆ（図１（Ａ）参照）の損傷を回避することができる。
【００４９】
以上の説明では、前板１２にフラップ１２ｆが形成され、ストッパー１２ｓが主にフラップ１２ｆ上に形成されているとしたが、ラップフィルム９１ｆの使用状況を勘案して、適宜、フラップ１２ｆ及び／又はストッパー１２ｓを省略してもよい。
【００５０】
以上の説明では、箱本体１がコートボール紙で形成されているとしたが、合成樹脂、金属等で形成されていてもよい。しかしながら、カートン５０が嵌合されることで箱本体１が補強されることとなるので、コートボール紙で形成されていても繰り返し使用に耐えうる強度を維持することが可能になる。そのため、詰替ラップ入りカートン１００は、箱本体１をコートボール紙で形成して製造を簡便にしつつ経済性を向上させることができる。
【００５１】
以上の説明では、長尺物がラップフィルム９１ｆであるとしたが、アルミホイルやクッキングシート等、ラップフィルム以外のものであってもよい。
【符号の説明】
【００５２】
１    箱本体
１０  本体部
１０ｈ  開口面
２０  蓋部
５０  カートン
５１  開口形成面
５１ｃ  開口切取線
５１ｅ  開口切取片
５１ｈ  引出開口
５１ｒ  残片
５４  側面
５４ｂ  延在部
５４ｃ  側面切取線
５４ｅ  側面切取片
５４ｈ  側面開口
５４ｒ  側面板
５５  端面
５５ｂ  端面本体
５５ｃ  端面切取線
５５ｄ  端面切欠部
５５ｔ  摘み片
６０  詰替ラップ
９１ａ  軸線
９１ｆ  ラップフィルム
９１ｒ  ラップロール
１００  詰替ラップ入りカートン
【図１】
2016159923.tif 000003
【図２】
2016159923.tif 000004
【図３】
2016159923.tif 000005
【図４】
2016159923.tif 000006